【手続補正書】
【提出日】平成20年2月20日(2008.2.20)
【手続補正１】
【補正対象書類名】特許請求の範囲
【補正対象項目名】全文
【補正方法】変更
【補正の内容】
【特許請求の範囲】
【請求項１】
物体を調査する方法であって、
異なる第1および第2の放射線エネルギーで物体の少なくとも一部を走査することと、
前記第1および第2の放射線エネルギーの放射線を前記物体の少なくとも一部との相互作用の後で検出することと、
前記第1および第2のエネルギーで検出された前記放射線の関数を計算することと、
前記関数に少なくとも部分的に基づいて前記物体が所定の原子番号よりも大きな原子番号を有する高原子番号物質を少なくとも可能性として含むかどうかを決定することとを含む方法。
【請求項２】
前記関数は比であって、
前記第1の放射線エネルギーで検出された前記放射線の関数と前記第2の放射線エネルギーで検出された放射線の関数との比を計算することを含む請求項1に記載の方法。
【請求項３】
前記物体が高原子番号物質を含むかどうかを、
前記第1の関数を、前記所定の原子番号に少なくとも部分的に基づいた第2の関数と比較して決定することを含む請求項1に記載の方法。
【請求項４】
前記第2の関数は、閾値を定義し、
前記第1の関数を前記閾値と比較することを含む請求項1に記載の方法。
【請求項５】
前記第2の関数は前記第1の関数と同じであって、さらに、
前記第1および第2の放射線エネルギーで前記所定の原子番号に等しい原子番号を有する試験物質を走査した後で検出された放射線に少なくとも部分的に基づいて前記第2の関数を計算することを含む請求項4に記載の方法。
【請求項６】
前記第2の関数は閾値であって、
試験物質との相互作用の後、前記第1および第2の放射線で検出された前記放射線の比を計算することにより前記閾値を計算することを含む請求項5に記載の方法。
【請求項７】
さらに、
前記物体の対応する部分について、前記第1および第2のエネルギーで検出された前記放射線の前記関数を計算することを含む請求項1に記載の方法。
【請求項８】
前物体の対応する部分は、少なくとも半分だけ重なる請求項7に記載の方法。
【請求項９】
さらに、
前記物体を透過した後で前記第1および第2の放射線エネルギーの放射線を検出することを含む請求項1に記載の方法。
【請求項１０】
物体を調査する方法であって、
物体の第1の複数の部分を第1のエネルギーの第1の放射線ビームで走査することと、
第1の放射線を前記第1の放射線ビームと前記第1の複数の部分との相互作用の後で検出することと、
前記物体の第2の複数の部分を前記第1のエネルギーと異なる第2のエネルギーの第2の放射線ビームで走査することと、
第2の放射線を前記第2の放射線ビームと前記第2の複数の部分との相互作用の後で検出することと、
前記第1の放射線と前記第2の放射線の関数の比を、対応する第1および第2の部分について、計算することと、
各比と閾値との比較に少なくとも部分的に基づいて、前記物体の中身が所定の原子番号よりも大きな原子番号を有する高原子番号物質を少なくとも可能性として含むかどうかを決定することとを含む方法。
【請求項１１】
さらに、
少なくとも部分的に、
前記所定の原子番号に等しい原子番号を有する物質を含む第2の物体の少なくとも一部を前記第1のエネルギーの第3の放射線で走査し、
第3の放射線を前記第3の放射線ビームと前記第2の物体の少なくとも一部との相互作用の後で検出し、
前記第2の物体の少なくとも一部を第2のエネルギーの第4の放射線ビームで走査し、
第4の放射線を前記第4の放射線ビームと前記第2の物体の少なくとも一部との相互作用の後で検出し、
前記第3の放射線と前記第4の放射線の関数の第2の比を計算することにより閾値を計算することを含む請求項10に記載の方法。
【請求項１２】
前記第2の物体の少なくとも一部を走査することは、
ウランの原子番号よりも小さい原子番号を有する物質を含む第2の物体の少なくとも一部を走査することを含む請求項11に記載の方法。
【請求項１３】
鉛の原子番号よりも小さい原子番号を有する物質を含む第2の物体の少なくとも一部を走査することを含む請求項12に記載の方法。
【請求項１４】
鉄、銅、およびニッケルからなる群から選ばれた第2の物体の少なくとも一部を走査することを含む請求項13に記載の方法。
【請求項１５】
さらに、
標準偏差の整数または非整数であってもよい所定の数を前記第2の比から減算することにより前記閾値を計算することを含む請求項11に記載の方法。
【請求項１６】
前記第1のエネルギーは、前記第2のエネルギーよりも大きく、
前記比を計算することは、前記第1の放射線を前記第2の放射線で除算することと、
前記物体の前記複数の対応する部分のうちの少なくとも1つが高原子番号物質を含むかどうかを、各対応する部分に対する前記比が前記閾値よりも小さい場合に決定することとを含む請求項10に記載の方法。
【請求項１７】
さらに、
前記第1の放射線と前記第2の放射線のうちの少なくとも一方で検出された放射線に基づいて閾値を選択することを含む請求項10に記載の方法。
【請求項１８】
物体を調査するシステムであって、
異なる第1および第2の放射線エネルギーで物体の少なくとも一部を走査する手段と、
前記物体との相互作用の後で前記第1および第2の放射線エネルギーの放射線を検出する手段と、
前記第1および第2のエネルギーで検出された前記放射線の関数を計算する手段と、
前記関数に少なくとも部分的に基づいて前記物体が所定の原子番号よりも大きな原子番号を有する高原子番号物質を少なくとも可能性として含むかどうかを決定する手段とを備えるシステム。
【請求項１９】
物体を調査するシステムであって、
第1の放射線エネルギーは第2の放射線エネルギーと異なる前記第1および第2の放射線エネルギーで、物体の少なくとも一部を走査するための少なくとも1つの放射線源と、
前記物体との相互作用の後で前記第1および第2の放射線エネルギーの放射線を検出するように位置付けされている少なくとも1つの検出器と、
前記検出器に結合された少なくとも1つのプロセッサであって、
前記第1および第2のエネルギーで検出された前記放射線の関数を計算し、
前記関数に少なくとも部分的に基づいて前記物体が所定の原子番号よりも大きな原子番号を有する高原子番号物質を少なくとも可能性として含むかどうかを決定するようにプログラムされている少なくとも1つのプロセッサとを備えるシステム。
【請求項２０】
前記プロセッサは、
前記第1および第2のエネルギーで検出された前記放射線の関数の比を計算するようにプログラムされている請求項19に記載のシステム。
【請求項２１】
前記プロセッサは、
前記第1の関数を、前記所定の原子番号に少なくとも部分的に基づいた第2の関数と比較するようにプログラムされている請求項19に記載のシステム。
【請求項２２】
前記プロセッサは、少なくとも部分的に、
それぞれ前記第1および第2の放射線エネルギーにより前記所定の原子番号に等しい原子番号を有する物質を走査した後で検出される第3および第4の放射線に基づいて前記第2の関数を計算するようにプログラムされている請求項21に記載のシステム。
【請求項２３】
前記プロセッサは、さらに、
前記物体の複数の対応する部分について前記第1および第2の放射線の前記関数を計算し、
前記関数に少なくとも部分的に基づいて前記物体が所定の原子番号よりも大きな原子番号を有する高原子番号物質を少なくとも可能性として含むかどうかを決定するようにプログラムされている請求項19に記載のシステム。
【請求項２４】
前記検出器は、前記物体を透過した放射線を検出するように位置付けされている請求項19に記載のシステム。
【請求項２５】
前記第1の放射線エネルギーの第1の放射線ビームを用いて、前記物体と角度をなして前記物体の前記少なくとも一部を走査することと、
前記第2の放射線エネルギーの第2の放射線ビームを用いて、前記角度とほぼ同一の角度をなして前記物体の前記少なくとも一部を走査することと、
を含む請求項1に記載の方法。